(57)【要約】【課題】  グレーの濃淡のみで表現されるモノクロ写真においても、発色性において違和感の無く、銀塩写真に匹敵するような高画質な出力画像を得る。【解決手段】  多値の輝度信号値中間値を示す場合に、記録媒体に形成されるモノクロ画像の色が、ａ＊ｂ＊座標において、（ａ＊、ｂ＊）＝（０、-３）、（ａ＊、ｂ＊）＝（１、０）および（ａ＊、ｂ＊）＝（３、０）の３点で形成される三角形の辺または内部に位置しているような色変換処理を施す。これにより、モノクロ写真で最も活用される階調領域において、好ましいグレーの色調を表現することが出来る。【選択図】  図９
2005217985.tif 000002
【特許請求の範囲】
【請求項１】
画像データに基づき複数の色材を用いて記録媒体に画像を形成する画像形成方法において、
画像をモノクロモードで出力するか否かを設定する設定工程と、
前記モノクロモードが設定された場合に実行され、出力すべき画像に対応した輝度信号を前記複数の色材別に多値の濃度信号に変換する画像処理工程と、
前記多値の濃度信号に従って、前記記録媒体に前記色材を付与して画像を記録する工程とを有し、
前記輝度信号の値が全範囲の中心値を示す場合に、前記記録媒体に形成される画像の色が、ＣＩＥ−Ｌ＊ａ＊ｂ＊空間のａ＊ｂ＊平面において、（ａ＊、ｂ＊）＝（０、−３）、（ａ＊、ｂ＊）＝（１、０）および（ａ＊、ｂ＊）＝（３、０）の３点で形成される三角形の辺または内部に位置していることを特徴とする画像形成方法。
【請求項２】
前記輝度信号の値が白を示す値と前記中心値との間で変化するとき、前記記録媒体に形成される色の変移は、ａ＊ｂ＊平面において、略直線で表されることを特徴とする請求項１に記載の画像形成方法。
【請求項３】
前記設定工程では、記録する記録媒体の種類に応じて画像を前記モノクロモードで出力するか否かの設定がなされることを特徴とする請求項１に記載の画像形成方法。
【請求項４】
前記画像処理工程には選択的に複数種類の処理方法が用意されており、
記録する記録媒体の種類に応じて、前記複数種類の処理方法のうちの１つが設定されることを特徴とする請求項１に記載の画像形成方法。
【請求項５】
前記輝度信号の値が前記中心値を示す場合に、前記記録媒体に形成される画像の色が、ａ＊ｂ＊座標において、前記複数種類の処理方法間で略一致した点に位置していることを特徴とする請求項４に記載の画像形成方法。
【請求項６】
前記画像処理工程には選択的に複数種類の処理方法が用意されており、前記複数種類の処理方法のうちの１つをユーザが設定可能であることを特徴とする請求項１に記載の画像形成方法。
【請求項７】
前記輝度信号の値が前記中心値を示す場合に、前記記録媒体に形成される画像の色が、ａ＊ｂ＊座標において、前記複数種類の処理方法間で互いに異なった点に位置していることを特徴とする請求項６に記載の画像形成方法。
【請求項８】
前記複数種類の処理方法のうちの１つにおいては、前記輝度信号の値が前記中心値を示すときの前記記録媒体に形成される画像の色が、ａ＊ｂ＊座標において、ａ＊＞１であることを特徴とする請求項７に記載の画像形成方法。
【請求項９】
前記複数種類の処理方法のうちの１つにおいては、前記輝度信号の値が前記中心値を示すときの前記記録媒体に形成される画像の色が、ａ＊ｂ＊座標において、ｂ＊＜０であることを特徴とする請求項７に記載の画像形成方法。
【請求項１０】
画像データに基づき複数の色材を用いて記録媒体に画像を形成する画像形成システムにおいて、
画像をモノクロモードで出力するか否かを設定する設定手段と、
前記モノクロモードが設定された場合に実行され、出力すべき画像に対応した多値の輝度信号を前記複数の色材別に多値の濃度信号に変換する画像処理手段と、
前記多値の濃度信号に従って、前記記録媒体に前記色材を付与して画像を記録する手段工程とを具備し、
前記輝度信号の値が全範囲の中心値を示す場合に、前記記録媒体に形成される画像の色が、ＣＩＥ−Ｌ＊ａ＊ｂ＊空間のａ＊ｂ＊平面において、（ａ＊、ｂ＊）＝（０、−３）、（ａ＊、ｂ＊）＝（１、０）および（ａ＊、ｂ＊）＝（３、０）の３点で形成される三角形の辺または内部に位置していることを特徴とする画像形成システム。
【請求項１１】
画像データに基づき複数の色材を用いて記録媒体に画像を形成する画像形成方法において、
画像をモノクロモードで出力するか否かを設定する設定工程と、
前記モノクロモードが設定された場合に実行され、出力すべき画像に対応した輝度信号を前記複数の色材別に多値の濃度信号に変換する画像処理工程と、
前記多値の濃度信号に従って、前記記録媒体に前記色材を付与して画像を記録する工程とを有し、
前記多値の濃度信号が、前記記録媒体への被服率が１００％に達するような値である場合に、前記記録媒体に形成される画像の色が、ＣＩＥ−Ｌ＊ａ＊ｂ＊空間のａ＊ｂ＊平面において、（ａ＊、ｂ＊）＝（０、−３）、（ａ＊、ｂ＊）＝（１、０）および（ａ＊、ｂ＊）＝（３、０）の３点で形成される三角形の辺または内部に位置していることを特徴とする画像形成方法。
【発明の詳細な説明】
【技術分野】
【０００１】
本発明は、カラー画像を出力可能な画像形成システムを用いて、モノクロ写真を高品位に出力する際の、画像形成方法に関するものである。
【背景技術】
【０００２】
カラー画像を出力可能な記録装置として、複数色のインクを搭載したインクジェット記録装置が挙げられる。インクジェット記録装置のように、減法混色で画像を形成する場合、シアン（Ｃ）、マゼンタ（Ｍ）およびイエロー（Ｙ）の３色を、基本色として用いるのが一般である。このような色構成においては、シアン、マゼンタおよびイエローの色相表現が可能なばかりでなく、例えばマゼンタとイエローを重ね合わせることによって、レッド（Ｒ）を表現することが出来る。更に、重ね合わせる際の各インクの割合などを段階的に調整することで、ほぼ全ての色空間を表現することが可能となっている。
【０００３】
しかしながら、実際に適用されている基本色の色材（Ｃ、Ｍ、Ｙ）が、色空間における理想的なＣ、Ｍ、Ｙの座標に位置することは稀である。各色材が位置する座標は、それぞれ微妙に理想的な位置から外れており、また、記録する記録媒体の種類によっても、その外れ方は様々である。更に、階調が上昇するにつれて、記録するインクの量が増加して行った場合にも、色空間内に形成される軌跡は、彩度が上昇する方向へ一直線に延びているわけではない。基本的に、ある階調値を過ぎた時点からは、記録するインクの量が多くなるほど、その彩度は低下する傾向にある。このように、実際の記録画像が、色空間における所望の位置座標から外れて表現される現象は、インクジェット記録装置を含む多くの記録装置で起こりがちな現象である。以下、このような現象を「発色ずれ」と称することとする。
【０００４】
「発色ずれ」が発生する記録装置では、適用するインクや記録媒体の特徴に応じて記録データに補正をかけ、極力所望の発色が表現できるような調整が行われている。しかしながら、表現可能な色相の中でも、無彩色であるブラックやグレーは、特に調整が困難である。グレースケールにおいては、各色のインクの量が微妙に増減するだけでも、その色相が大きく動き、見た目にも確認されやすい。また、基本的にブラックは、基本の３色を重ね合わせることによって表現可能であるが、３色のインクを最大限に記録しても、所望の濃度に到達しない場合が多い。よって、近年のインクジェット記録装置においては、基本の３色のほかにブラックインクも同時に搭載し、グレースケールを表現する場合には、基本色と同時にブラックインクを併用して記録を行う方法が採用されている。また、特にブラックの濃度を確保するために、ブラックのみ顔料インクを用い、基本の３色については染料インクを適用する技術も既に提案されている（例えば特許文献１参照。）。
【０００５】
ところで、近年のインクジェット記録装置においては、銀塩写真に匹敵するような滑らかで高発色な画像が求められており、これに対応するために様々な技術開発も進められて来ている。銀塩写真と比較した場合、従来のインクジェット記録装置で最も問題となったのは、出力画像が観察者に与える粒状感であった。粒状感とは、記録媒体に記録されたインクドットが、目視で確認できる程度に目立った場合に、観察者に与えるザラツキ感のようなもので、粒状感のある画像は銀塩写真と比べてより低品質な印象を与えていた。
【０００６】
このような粒状感を低減するために、近年のインクジェット記録装置においては、同系色でありながら、濃度の異なる複数種類のインクを同時に搭載した形態のものが多く提供されている。
【０００７】
図１は、濃度の異なる複数種類のインクを同時に搭載したインクジェット記録装置において、グレースケール画像を記録する場合の、各インク色の出力値を示したものである。横軸は、０〜２５５の濃度レベルを示しており、縦軸は、各濃度レベルを表現するための、各インク色の出力信号値（０〜２５５）を示している。図によれば、低濃度領域では、ＬＣ、ＬＭおよびＹの３色を用いてグレー画像を形成している。低濃度から高濃度へと徐々に濃度が上昇していく過程では、ドットが離散的に記録されがちであるので、より濃度の低いインクを用いて粒状感を低減する。淡色のインクで形成されるインクドットは、記録媒体上で目立ちにくいので、これを利用するのである。
【０００８】
中濃度あたりの領域では、ＬＭおよびＬＣの出力値が最大値に近くなり、これらのインクの組み合わせではこれ以上の濃度を表現することが困難になる。一方、記録媒体上では多くのドットが埋め尽くされた状態となっているので、単独ドットによる粒状感は目立ちにくくなる。よって、この段階からは、Ｃ、Ｍ、更にはＫを徐々に追加して行くことにより、粒状感を低減させた状態で、濃度を上昇させて行くことが出来る。同時に、ＬＣ、ＬＭおよびＹについては、出力値を徐々に減少させて行く。最終的には、Ｋの出力値が他のインクのどれよりも高い値を取ることにより、高濃度で好適な色相のブラックを表現することが出来るのである。
【０００９】
この様に、一般にはカラー画像を記録することを目的とした記録装置においても、グレースケール画像を記録することが出来る。
【００１０】
【特許文献１】特開２０００−１９８２２７号公報
【発明の開示】
【発明が解決しようとする課題】
【００１１】
ところで、従来のインクジェット記録装置においては、主にカラー画像の高画質化を目指して開発が進められており、モノクロ記録を行う場合には、文字品位やコントラストを重視し、最高濃度を充分に高く保つ技術が展開されていた。中間濃度や低濃度においては、粒状感や大きな「発色ずれ」を抑えつつ、最高濃度まで滑らかに階調を繋いでいくことが主な課題であった。
【００１２】
しかしながら、このような思想の基に設計された画像処理においては、出力されたモノクロ写真画像が銀塩写真に比べて違和感を与える場合があった。モノクロ写真では、主に低濃度から中間濃度にかけてのグレーによって画像が表現される。しかし、この中間調における色相が、従来では然程重要視されていなかったため、理想の色相とずれてしまっていたのである。
【００１３】
図２は、ａ＊ｂ＊平面における、理想的なグレーの位置と、図１の入力値１２８における出力画像の位置などを示したものである。ａ＊ｂ＊平面とは、色相を２次元空間で定量的に表現することが可能な座標であり、理論的には原点が無彩色となっている。しかしながら、記録媒体の種類によってニュートラルなグレー座標は異なり、例えば、キヤノン（株）製のインクジェット専用紙（商品名：プロフェッショナルフォトペーパーＰＲ−１０１）では、ａ＊＝１、ｂ＊＝０近傍がニュートラルなグレーの座標となる。図では、この位置をＭとして示している。
【００１４】
一方、従来法の画像処理に従って得られた濃度レベル１２８におけるグレーの位置は、Ｐとして示している。Ｐの座標はａ＊≒１、ｂ＊≒−５となっており、Ｍとは色差ｄ≒５の距離を置いている。このような位置であっても、カラー画像の中で他の色彩と混在して表現される場合においては、特に問題とはならなかった。しかしながら、グレーの濃淡のみで表現されるモノクロ写真においては、明らかに好ましいグレーではないと言う違和感を生じさせてしまうのである。
【００１５】
近年のインクジェット記録装置においては、カラー写真と同様、モノクロ写真の出力に対しても、高品位な画像が期待されている。このような状況において、グレーの中間濃度における「発色ずれ」は注目すべき大きな画像問題となっていたのである。
【００１６】
本発明は上記問題点を解決するためになされたものであり、その目的とするところは、グレーの濃淡のみで表現されるモノクロ写真においても、発色性において違和感の無く、銀塩写真に匹敵するような高画質な出力画像を得ることである。
【課題を解決するための手段】
【００１７】
そのために本発明においては、画像データに基づき複数の色材を用いて記録媒体に画像を形成する画像形成方法において、画像をモノクロモードで出力するか否かを設定する設定工程と、前記モノクロモードが設定された場合に実行され、出力すべき画像に対応した輝度信号を前記複数の色材別に多値の濃度信号に変換する画像処理工程と、前記多値の濃度信号に従って、前記記録媒体に前記色材を付与して画像を記録する工程とを有し、前記輝度信号の値が全範囲の中心値を示す場合に、前記記録媒体に形成される画像の色が、ＣＩＥ−Ｌ＊ａ＊ｂ＊空間のａ＊ｂ＊平面において、（ａ＊、ｂ＊）＝（０、−３）、（ａ＊、ｂ＊）＝（１、０）および（ａ＊、ｂ＊）＝（３、０）の３点で形成される三角形の辺または内部に位置していることを特徴とする。
【００１８】
また、画像データに基づき複数の色材を用いて記録媒体に画像を形成する画像形成システムにおいて、画像をモノクロモードで出力するか否かを設定する設定手段と、前記モノクロモードが設定された場合に実行され、出力すべき画像に対応した多値の輝度信号を前記複数の色材別に多値の濃度信号に変換する画像処理手段と、前記多値の濃度信号に従って、前記記録媒体に前記色材を付与して画像を記録する手段工程とを具備し、前記輝度信号の値が全範囲の中心値を示す場合に、前記記録媒体に形成される画像の色が、ＣＩＥ−Ｌ＊ａ＊ｂ＊空間のａ＊ｂ＊平面において、（ａ＊、ｂ＊）＝（０、−３）、（ａ＊、ｂ＊）＝（１、０）および（ａ＊、ｂ＊）＝（３、０）の３点で形成される三角形の辺または内部に位置していることを特徴とする。
【００１９】
さらにまた、画像データに基づき複数の色材を用いて記録媒体に画像を形成する画像形成方法において、画像をモノクロモードで出力するか否かを設定する設定工程と、前記モノクロモードが設定された場合に実行され、出力すべき画像に対応した輝度信号を前記複数の色材別に多値の濃度信号に変換する画像処理工程と、前記多値の濃度信号に従って、前記記録媒体に前記色材を付与して画像を記録する工程とを有し、前記多値の濃度信号が、前記記録媒体への被服率が１００％に達するような値である場合に、前記記録媒体に形成される画像の色が、ＣＩＥ−Ｌ＊ａ＊ｂ＊空間のａ＊ｂ＊平面において、（ａ＊、ｂ＊）＝（０、−３）、（ａ＊、ｂ＊）＝（１、０）および（ａ＊、ｂ＊）＝（３、０）の３点で形成される三角形の辺または内部に位置していることを特徴とする。
【発明の効果】
【００２０】
本発明によれば、モノクロ写真で最も活用される階調領域において、好ましいグレーの色調を表現することが出来、銀塩写真に匹敵する高品位なモノクロ写真を出力することが可能となる。
【発明を実施するための最良の形態】
【００２１】
（第１の実施形態）
以下に図面を参照して本発明の第１の実施形態を詳細に説明する。
【００２２】
図３は本発明に適用可能なインクジェット記録装置の内部構成図である。１は紙或いはプラスチックシートよりなる記録媒体である。記録前、記録媒体１は、不図示のカセット等に複数枚積層されており、記録が開始されると不図示の給紙ローラによって、記録装置本体内に１枚ずつ供給される。３は第１搬送ローラ対、４は第２搬送ローラ対であり、両者は所定の間隔を隔てて図の様に配置されている。第１搬送ローラ対３および第２搬送ローラ対４は、夫々個々のステッピングモータ（図示せず）によって駆動され、これらローラ対に挟持された記録媒体１を矢印Ａ方向に所定量ずつ搬送する。
【００２３】
５ａ〜５ｆは、インクジェット記録ヘッド１１にインクを供給するためのインクタンクであり、５ａはブラック（Ｋ）、５ｂはライトシアン（ＬＣ）、５ｃはライトマゼンタ（ＬＭ）、５ｄはシアン（Ｃ）、５ｅはマゼンタ（Ｍ）および５ｆはイエロー（Ｙ）のインクをそれぞれ収容している。記録ヘッド１１よりインクを吐出する吐出口面は、第１搬送ローラ対３および第２搬送ローラ対４により挟持されて、ある程度の張力を持った記録媒体１に対向して配置されている。全６色のインクを吐出する記録ヘッド１１は、各色で独立に構成されていても良いし、一体的に構成されていても良い。
【００２４】
記録ヘッド１１およびインクタンク５は、キャリッジ６に着脱可能に搭載可能となっている。１０はキャリッジモータであり、２つのプーリ８ａ、８ｂおよびベルト７を介することにより、キャリッジ６を矢印Ｂ方向に往復移動させることが可能である。この際、キャリッジ６は、ガイドシャフト９によってその走査方向が案内指示されている。
【００２５】
２は、記録ヘッド１１のメンテナンス処理を行うための回復装置である。記録ヘッド１１は必要に応じて回復装置２が配備されたホームポジションに移動し、回復装置２は記録ヘッド１１の吐出口に生じたインク詰まりを除去するなどの回復処理を行う。
【００２６】
記録を行う際、キャリッジ６は矢印Ｂ方向へ所定の速度で移動し、記録ヘッド１１からは画像信号に応じて適切なタイミングでインク滴が吐出される。記録ヘッド１１による１回の記録走査が終了すると、搬送ローラ対３および４は記録媒体１を所定量だけ搬送する。このような記録走査と記録媒体の搬送とを交互に行うことにより、記録媒体１には順次画像が形成されていく。
【００２７】
図４は、記録ヘッド１１の吐出口の配列状態を説明するための模式図である。各色の吐出口列はキャリッジの走査方向である矢印Ｂに対し、インクタンク５と同様の順番で図の様に配列されている。各色の吐出口は、記録媒体搬送方向である矢印Ａに対し、約４０μｍのピッチで５１２個ずつ配列されている。よって、記録ヘッド１１が１回の記録走査を行うことにより、記録媒体には６００ｄｐｉ（ドット／インチ；参考値）の解像度を有する画像が形成される。
図５は、本実施形態で適用する画像処理システムを説明するためのブロック図である。ホストコンピュータ１０１には、ＣＰＵ１０２、メモリ１０３、外部記憶１０４、入力部１０５、ＣＲＴ１０８、およびインターフェイス１０６などが備えられている。
【００２８】
ＣＰＵ１０２は、外部記憶１０４に格納されたプログラムを実行することにより、後述する様々な画像データの変換処理や、記録に係る処理全般を行う。メモリ１０３は、変換処理を行う際のワークエリアとして、また、画像データの一時的な記憶領域として用いられる。なお、画像データの変換処理などを実行するためのプログラムは、不図示の外部装置などからホストコンピュータ１０１に供給される形態であっても良い。ユーザはＣＲＴ１０８を確認しながら、入力部１０５を用いて各種コマンドを入力する。
【００２９】
ホストコンピュータ１０１は、インターフェイス１０６を介してインクジェット記録装置１０７と接続されており、ＣＰＵ１０２は、変換処理を施した画像データをインクジェット記録装置１０７に送信して記録を実行させる。
【００３０】
図６は、本実施形態のＣＰＵ１０２が行う、画像データの変換処理の工程を説明するためのブロック図である。本実施形態では、レッド（Ｒ）、グリーン（Ｇ）およびブルー（Ｂ）の輝度信号で表される８ビット(２５６階調)の画像データを、最終的にはインクジェット記録装置で記録可能な、シアン（Ｃ）、マゼンタ（Ｍ）、イエロー（Ｙ）、ライトシアン（ＬＣ）、ライトマゼンタ（ＬＭ）、およびブラック（Ｋ）の１ビットデータにまで変換する。
【００３１】
各色８ビットで構成されるＲＧＢの輝度信号は、まず色変換処理２０１に入力され、Ｃ、Ｍ、Ｙ、ＬＣ、ＬＭ、およびＫの濃度信号に変換される。ここでは、３次元の色変換処理ルックアップテーブル（ＬＵＴ）が利用されている。すなわち、ＣＰＵ１０２は、ルックアップテーブルを参照することにより、入力されたＲＧＢ信号値の組み合わせ対応した、Ｃ、Ｍ、Ｙ、Ｋ、ＬＣおよびＬＭで表現される濃度信号値を求めるのである。但し、ルックアップテーブルには、特定且つ離散的なＲＧＢ信号に対する濃度信号しか保持されておらず、各色２５６段階で表現されるＲＧＢの全ての組み合わせに、そのまま対応可能なわけではない。本実施形態において、保持されていない領域のＲＧＢ信号に対しては、保持している複数のデータを用いて、補間処理で求めることとする。ここで行われる補間処理方法は公知の技術であるので、詳細な説明は省略する。色変換処理２０１で取得される濃度信号の値は、入力値である輝度信号値と同様に８ｂｉｔで表現され、２５６段階の階調値を有する濃度データとして出力される。
【００３２】
色変換処理２０１が施された画像データは、次に、出力γ補正２０２による変換処理が行われる。出力γ補正２０２では、最終的に記録媒体で表現される光学濃度が、入力される濃度信号に対し線形性を保つように、インク色ごとに補正をかける。ここでは各色独立に用意された１次元のルックアップテーブルが参照され、出力γ補正２０２からの出力信号は、入力値と同様に８ｂｉｔの濃度データとなっている。
【００３３】
出力γ補正２０２から出力された８ｂｉｔの濃度データは、次に量子化処理２０３が施される。本実施形態で適用するインクジェット記録装置において、記録ヘッドから吐出されるインク滴は一律２ｎｇである。よって、記録媒体の各記録画素では、２ｎｇのインク滴を記録するか否かの２段階で濃度が表現される。複数の記録画素が集まったある程度の広さを持つ領域では、インク滴が記録された記録画素の数によってマクロ的に濃度が表現される。このような濃度表現方法を一般に面積階調法と呼ぶが、面積階調法を適用する記録装置においては、本実施形態の様に、多値データを２値データに変換するための量子化処理が必要になってくる。量子化処理の方法にはいくつかあるが、公知の誤差拡散法やディザ法などを適用することが出来る。量子化処理２０３で量子化された各色１ｂｉｔの画像データは、インクジェット記録装置に転送される。
【００３４】
以上説明した色変換処理２０１、出力γ補正２０２および量子化処理２０３における最適な変換方法は、記録媒体の種類や記録する画像の種類等によって異なる。特に、色変換処理２０１と出力γ補正２０２で用いられるルックアップテーブルは、記録媒体の種類ごとに用意されているのが一般となっている。
【００３５】
図７は、ユーザが記録を開始するコマンドを入力してから、実際に記録装置が記録動作を実行するまでの工程を説明するためのフローチャートである。ユーザが記録の開始を指示すると、ＣＰＵ１０２は記録モードを選択するための画面をＣＲＴ１０８に表示する（ステップＳ１）。
【００３６】
図８は、ステップＳ１でＣＲＴ１０８に表示される画面の例を示したものである。一般的なインクジェット記録装置では、複数種類の記録媒体に記録が可能であり、それぞれの記録媒体に応じて適切な記録方法が用意されている。記録方法の切り替えは、記録モードを設定することで行われるが、この記録モードの設定は、ユーザが図８に示すような画面を確認しながら、いくつかの条件を入力して行われることが多い。本実施形態において、ユーザは、オートパレット８１で、どのような種類の画像を記録するのか（文書か、写真か等）を設定する。また、用紙の種類８２で、どの種類の記録媒体に記録を行うかを設定する。更に、グレースケール印刷８３のチェックボックスをチェックすることにより、所望の画像をグレースケールで記録するか否かの設定も行う。
【００３７】
再び図７を参照する。続くステップＳ２では、設定された記録モードが、モノクロモード（ここでは、特に、モノクロ写真モード）であるか否かを判断する。本実施形態で規定する「モノクロモード」とは、チェックボックス８３によってグレースケール印刷が選択された全ての場合において設定される記録モードではなく、モノクロームの写真を出力すると判断された場合のみ適用されるモードである。従って、本実施形態においては、モノクロモードのことを特に「モノクロ写真モード」と称する。この「モノクロ写真モード」は、チェックボックス８３によってグレースケール印刷が選択され、且つ、用紙の種類８２においてプロフェッショナルフォトペーパーＰＲ−１０１（以下、単に、プロフォトペーパー）が選択された場合にのみ設定される。
【００３８】
ステップＳ２でモノクロ写真モードと判断された場合、ステップＳ６に進み、ＲＧＢで表現されるカラー情報を放棄する。すなわち、ＲＧＢの画像信号をグレートーン（Ｒ＝Ｇ＝Ｂ）の輝度信号に変換する。変換方法としては、求める無彩色の輝度信号値をＬとすると、例えば、Ｌ＝０．３Ｒ＋０．６Ｇ＋０．１Ｂという変換式を用い、ＲＧＢを全てＬに置き換えることによって行うことが出来る。その後ステップＳ７に進み、モノクロ写真モード固有の変換処理２を実行する。変換処理２には、図６を用いて説明した一連の画像データ変換工程が含まれている。
【００３９】
一方、ステップＳ２でモノクロ写真モードではないと判断された場合、ステップＳ３に進み、ステップＳ１にて、グレースケール印刷のチェックボックス８３がチェックされたか否かを判断する。チェックされていた場合、ステップＳ４へ進み、ＲＧＢの画像信号をグレートーン（Ｒ＝Ｇ＝Ｂ）の輝度信号に変換する。その後ステップＳ５へ進む。一方、グレースケール印刷のチェックボックス８３がチェックされていなかった場合には、そのままステップＳ５へ進む。
【００４０】
ステップＳ５では、画像データに対し変換処理１を実行する。変換処理１にも、変換処理２と同様、一連の画像データ変換工程が含まれているが、その内容は変換処理２とは異なったものとなっている。
【００４１】
ステップＳ５およびステップＳ７によって変換処理が行われた画像データは、２値のデータとしてインクジェット記録装置へと転送される（ステップＳ８）。
【００４２】
本実施形態において、モノクロ写真モードが設定されるのは、記録媒体がプロフォトペーパーの場合のみである。よって、ステップＳ７で施される変換処理２では、プロフォトペーパー専用の処理方法が適用されている。一方、モノクロ写真モードではないと判断された後に、ステップＳ５で行われる変換処理１は、複数種類の記録媒体に対応可能となっている。すなわち、色変換処理や出力γ補正は、記録媒体ごとに異なるルックアップテーブルが用意されおり、変換処理１では、それぞれの記録媒体に対応した変換方法が適用される。ここでは特にモノクロ写真モードと他のモードとの比較を行うために、図７のように２つに分岐される構成で説明を行った。
【００４３】
以下に、本発明の最も特徴的なモノクロモードの内容を説明するため、再び図２を参照する。上述したようにモノクロモードの場合、ＲＧＢの多値の輝度信号値はＲ＝Ｇ＝Ｂとなる。Ｒ＝Ｇ＝Ｂ＝２５５の場合、記録媒体に何も記録されない状態、つまり白色となり、それはＷで表される。このＷは、本実施形態で適用する記録媒体（プロフォトペーパー）の白紙の座標を表している。記録媒体が完全に白であれば、その座標は（０、０）となるはずであるが、実際には図の様に原点からある程度離れており、更にこのずれ量や方向は記録媒体の種類によって異なっている。つまり、Ｒ＝Ｇ＝Ｂ＝２５５で表される階調表現の出発点Ｗは記録媒体に固有のものであり、本実施形態で用いるプロフォトペーパーであれば、この出発点Ｗと、多値の輝度信号の中間値であるＲ＝Ｇ＝Ｂ＝１２８のときのニュートラルなグレー点Ｍとはａ＊ｂ＊平面において異なった位置にある。
【００４４】
また、多値の輝度信号値（Ｒ＝Ｇ＝Ｂ）を２５５（白）から０（黒）に至る輝度レベルで表した場合、モノクロ写真のインクジェット記録においては、主に白（輝度レベル２５５）〜中間調（輝度レベルがほぼ１２８）に対応した階調領域が多く使われている。また、インクジェット記録装置においては、階調が上がるにつれて（輝度レベルが下がるにつれて）記録媒体の表面がドットで埋められていくが、一般に、白紙の部分が完全に埋め尽くされるのは、出力される濃度が中間調レベルに到達する輝度レベル１２８近傍なのである。従って、輝度レベル１２８以下の低輝度領域（高濃度領域）においては、記録媒体の色味の影響が現れ難くなる。
【００４５】
本発明者らは、以上の点に着目し、モノクロ写真の出力を重視する場合には、白（レベル２５５）から中間調グレー（レベル１２８）に至る範囲の階調表現をより好ましいグレーに近づけて行くことが重要であると考えた。つまり、白紙の部分が殆ど埋め尽くされる輝度レベル＝１２８で表現される色調が、好ましいグレーであること、および輝度レベル２５５〜１２８の間は白紙の座標Ｗから好ましいグレーの座標（ニュートラルなグレーであればＭ）に、出来るだけ最短経路上を外れずに滑らかに近づいていくこと、以上の２点が実現できれば、所定の記録媒体において最も好ましい状態でモノクロ写真を記録することが出来ると判断したのである。従って、本実施形態において、図７の変換処理２で行われる色変換処理については、図２の矢印で示すような軌跡を取る様にルックアップテーブルが作成されている。
【００４６】
一方、変換処理１で行われる色変換処理については、従来法の画像処理に従って作成されたルックアップテーブルが適用されている。この場合、ａ＊ｂ＊平面における色調の軌跡は、Ｗから出発して乱雑な経路を辿りながらＰに向かうものとなる。但し、変換処理１が施されるモードは、通常のカラーモードか、あるいはモノクロ写真を対象としていないグレースケールモードである。よって、重要視される点が、グレーの中間調の色調ではなく、画像の粒状感であったりブラックの最高濃度であったりするので、問題は起こらない。
【００４７】
（第２の実施形態）
以下に、本発明の第２の実施形態を説明する。本実施形態においても、図３〜図８で説明した構成のインクジェット記録装置を適用する。但し、第１の実施形態では、一般にニュートラルなグレーの座標Ｍに近づくように、色変換処理のルックアップテーブルを作成したが、本実施形態においては好ましいグレーの領域をより広範囲に設定可能な形態とした。
【００４８】
図９は、本実施形態における好ましいグレーの範囲を説明するための図である。図において、Ｒは冷黒調と呼ばれるグレーの色相を示し、ａ＊＝０、ｂ＊＝−３である。また、Ｏは温黒調と呼ばれるグレーの色相を示し、ａ＊＝３、ｂ＊＝−０である。これら冷黒調および温黒調とは、必ずしも上記値に設定されているわけではないが、例えばモノクロの銀塩写真においてもニュートラルなグレーに対応して、作為的に適用される色調であり、ユーザによっては、ニュートラルなグレーよりも好まれる場合もある。
【００４９】
図１０は、ニュートラルなグレーＭ、冷黒調のグレーＲ、温黒調のグレーＯ、および比較のためのやや黄色味がかったグレーＹの４つについて、パネルテストを行った結果をグラフとして示した図である。やや黄色味がかったグレーＹの座標はａ＊＝０、ｂ＊＝２であり、図９にもＹとして示している。
【００５０】
パネルテストにおいては、まず、所定の記録媒体に対し、多値の輝度信号の中間値である輝度レベル＝１２８における座標がＭ、Ｒ、ＯおよびＹとなるように４種類のルックアップテーブルを作成する。次にこれら４種類のルックアップテーブルを用いて、上記と同種類の記録媒体に対し、モノクロ写真の出力を行う。更に、パネラーに４種類の出力画像の好ましい順序を指示してもらい、結果を支持率として算出する。以上の工程で得られた支持率の算出結果が、図１０のグラフとなっている。
【００５１】
本パネルテストにおいて、パネラーはプロフェッショナル層、ハイアマチュア層、およびアマチュア層に偏り無く、調査方法も一定の公平性を保っている。また、パネルテストに用いた画像も、ポートレート、風景、高濃度部分の多い画像、低濃度部分の多い画像など多岐に渡っている。
【００５２】
図１０の結果によると、支持率の最も高かったのは、冷黒調のグレーである。次いで、ニュートラルなグレー、温黒調のグレーとなっている。参考の為に試したやや黄色味がかったグレーは、ニュートラルなグレーからの距離が短いにもかかわらず、支持率は他に比べて極端に少なかった。
【００５３】
以上の結果より本発明者らは、好ましいグレーとは、必ずしも理論的にニュートラルなグレーではなく、ａ＊ｂ＊平面においては、第４象限領域に位置することを見出した。更に、支持率の高かった３つのグレー座標、すなわちＭ、Ｒ、Ｏに囲まれた３角形の領域に含まれる位置がより好ましいグレーを再現し、輝度レベル＝１２８における座標がＭ、ＲおよびＯより求めた重心値Ｇに位置するようにルックアップテーブルを作成した場合に、冷黒調のグレーよりも更に高い支持率が得られることも確認した。
【００５４】
本実施形態の変換処理２における色変換処理に適用されるルックアップテーブルは、上記結果を把握して作成されたものである。すなわち、多値の輝度信号値が中心値を示すときに、所定の記録媒体に形成されるモノクロ画像の色が、ａ＊ｂ＊座標において、Ｒ点（０、−３）、Ｍ点（１、０）およびＯ点（３、０）の３点で形成される三角形の辺または内部に位置するように、多値の輝度信号を使用するインク色に対応した濃度信号に変換する構成となっている。この構成よれば、１種類のルックアップテーブルを設けるだけで、幅広いユーザに支持されるグレー画像を得ることができる。
【００５５】
なお、このルックアップテーブルは１種類設けるだけで足りるが、複数種類設けても良い。変換処理２の色変換処理に適用されるルックアップテーブルを複数用意することで、冷黒調、温黒調、ニュートラルなどの様々なトーンの中から、よりユーザの好みに応じた色を出力出来るようになる。
【００５６】
図１１は、本実施形態で冷黒調のグレースケールをユーザが選択した場合の、輝度信号レベルに対応する各インク色の濃度信号値の例を示したものである。横軸は、白（２５５）から黒（０）に至る輝度信号の値を示しており、輝度信号値の値が左端の２５５（白）に近いほど出力結果が低濃度となり、輝度信号値の値が右端の０（黒）に近いほど出力結果が高濃度となる。従って、この横軸は、実際に出力される最低濃度から最高濃度に至る全濃度範囲（全階調範囲）に相当する範囲を表しているともいえる。一方、縦軸は、各輝度信号の値に対応して出力される各インク色の濃度信号を示しており、最低濃度を示す０（白）から最高濃度を示す２５５（黒）に至る範囲の濃度信号を表している。濃度信号の値が高いほど、単位面積あたりのインクの付与量が多くなる。ここでは全階調範囲（全濃度範囲、全輝度範囲）においてブラックのほかにイエローおよびシアンが略一定の割合で加えられている。これにより、ニュートラルなグレーよりもやや青みがかった冷黒調のグレースケールが得られるのである。
【００５７】
一方、図１２は、本実施形態で温黒調のグレースケールをユーザが選択した場合の、輝度信号レベルに対応する各インク色の濃度信号値の例を示したものである。ここでは全階調（全濃度範囲）においてブラックのほかにイエローおよびマゼンタが略一定の割合で加えられている。これにより、ニュートラルなグレーよりもやや赤みがかった温黒調のグレースケールが得られるのである。
【００５８】
これら、図１１および図１２においては、図１で説明した従来のグレースケールモードと異なり、信号値の増減が単調で、各色間の交差も起こらない。よって、従来に比べ、階調に伴う色相の変化の方向が安定しており、略直線上を滑らかに変移して行きやすい。
【００５９】
なお、上述した２つの実施形態においては、プロフォトペーパーが選択され且つグレースケール印刷が選択されたモノクロ写真モードでのみ、本発明特有の色変換処理２を施したが、本発明はこのような形態に限定されるものではない。モノクロの写真を高品位に表現可能な記録媒体が複数存在する場合には、これら記録媒体の全てに変換処理２が実行される構成であっても良い。この場合、輝度レベル１２８でのａ＊ｂ＊座標が同じであったとしても、記録媒体によって白紙のａ＊ｂ＊座標が異なるので、異なった内容のルックアップテーブルが記録媒体ごとに用意されていることが好ましい。また、出力しようとする画像が写真以外であっても、グレースケール印刷が選択されていれば、変換処理２を機能させる形態であってもよい。
【００６０】
また、上述した２つの実施形態においては、Ｍあるいは図９で示した三角形を目標となるグレーの色相領域とし、輝度信号において全領域の中間値である１２８での色相がこの領域に内に含まれるような構成で説明した。しかしながら、この輝度信号＝１２８（あるいは中間点）という値は必ずしも本発明を限定するものではない。既に述べたように、インクジェット記録においてモノクロ写真を記録する場合には、主に白（輝度レベル２５５あるいは濃度レベル０）〜中間調に対応した階調領域が使われている。この階調領域は、記録媒体の表面に全くドットが記録されない状態から、その表面がドットで埋めつくされて行く領域にほぼ一致している。本発明において、上記目標となるグレーの色相領域に位置させたい階調値は、白紙の領域が確認できない程度にドットで埋め尽くされる、すなわち記録媒体において被服率がほぼ１００％に達するような階調値である。このような値は、必ずしも輝度レベル＝１２８（中間値）近傍とは限らない。適用するインクジェット記録装置の吐出量や記録密度に応じてその値は異なってくる。上記実施形態で適用した記録装置においては、白紙の部分が完全に埋め尽くされるのが、輝度レベル＝１２８（中間値）となることを発明者確認したことから、輝度レベル＝１２８（中間値）での色相が、上記条件を満たすような処理を施したのである。
【００６１】
また、以上の実施形態においては、図５で示した構成のインクジェット記録システムを用いて説明を加えてきたが、本発明はこのような構成に限定されるものではない。図５に示される各構成は、ホストコンピュータとインクジェット記録装置のどちらに備わっていても良いし、全てが一体的に構成された画像形成システムであってもよい。
【００６２】
更に、上記では、図６で説明した変換処理の全てをホストコンピュータ１０１のＣＰＵ１０２が行う方法で説明を加えてきたが、例えば処理の一部または全部がインクジェット記録装置１０７にて行われる構成であっても構わない。また、図７で説明した記録モードの入力や設定が、インクジェット記録装置にて行われる構成であってもよい。
【００６３】
更にまた、図８で説明した記録モード設定のための画面も、記載した内容に限定されるわけではない。図では、グレースケール印刷を選択するためのチェックボックス８３が用意されていたが、例えば、ユーザ自身が画面上で出力画像の色相および彩度を設定できる構成とし、所定の色相および彩度が設定された場合に、グレースケールモードが設定されたと判断するものであってもよい。
【００６４】
上記実施形態においては、６色のインクを吐出可能なインクジェット記録装置を用いて説明を加えてきたが、本発明は、インクジェット記録装置以外の記録装置であっても、複数の色材を用いてカラー画像を表現可能であれば、有効に適用することが出来る。
【図面の簡単な説明】
【００６５】
【図１】グレースケール画像を６色のインクで記録する場合の、各インク色の出力値を示した図である。
【図２】ａ＊ｂ＊座標における、理想的なグレーの位置と、従来の画像処理方法によって出力されたグレーの位置を示した図である。
【図３】本発明に適用可能なインクジェット記録装置の内部構成図である。
【図４】記録ヘッドの吐出口の配列状態を説明するための模式図である。
【図５】本発明の実施形態で適用する画像処理システムを説明するためのブロック図である。
【図６】画像データの変換処理の工程を説明するためのブロック図である。
【図７】記録開始コマンドが入力されてから、実際に記録装置が記録動作を実行するまでの工程を説明するためのフローチャートである。
【図８】記録モードを設定する際に、ＣＲＴに表示される画面の例である。
【図９】好ましいグレーの範囲を説明するための図である。
【図１０】パネルテストを行った結果をグラフとして示した図である。
【図１１】温黒調のグレースケールにおける、濃度レベルに対する各インク色の出力値の例を示した図である。
【図１２】冷黒調のグレースケールにおける、濃度レベルに対する各インク色の出力値の例を示した図である。
【符号の説明】
【００６６】
８１    オートパレット
８２    用紙の種類
８３    グレースケール印刷チェックボックス
２０１    色変換処理
２０２    出力γ補正
２０３    量子化処理
【図１】
2005217985.tif 000003
【図２】
2005217985.tif 000004
【図３】
2005217985.tif 000005
【図４】
2005217985.tif 000006
【図５】
2005217985.tif 000007
【図６】
2005217985.tif 000008
【図７】
2005217985.tif 000009
【図８】
2005217985.tif 000010
【図９】
2005217985.tif 000011
【図１０】
2005217985.tif 000012
【図１１】
2005217985.tif 000013
【図１２】
2005217985.tif 000014